(57)【要約】  空気調和機は、複数の段階の各段階に対応する上下風向ベーン（１４）のベーン位置が異なり、横吹き位置での空気の吹出し方向が水平方向よりも上吹きとなるドラフト感防止モードを含む複数の吹出しモードを有する制御部（１２０）と、ドラフト感防止モードでの横吹き位置に対応する上下風向ベーン（１４）のベーン位置の調整操作を受け付けるリモートコントローラ（３０）と、調整操作によって調整された、ドラフト感防止モードでの横吹き位置に対応する上下風向ベーン（１４）のベーン位置を含め、複数の吹出しモードの複数の段階の各々での上下風向ベーン（１４）のベーン位置を記憶する記憶部（１３０）とを備え、制御部（１２０）は、複数の吹出しモードのいずれにおいても、複数の段階の各々での上下風向ベーン（１４）のベーン位置を、記憶部（１３０）に記憶されている上下風向ベーンのベーン位置にする制御を行う。
2017208404.tif 000002
【特許請求の範囲】
【請求項１】
空気の吹出し方向を上下方向に変化させる上下風向ベーンを備え、天井面に沿って空気を吹き出す横吹き位置を含む複数の段階で前記上下風向ベーンのベーン位置を変更可能な空気調和機であって、
前記複数の段階の各段階に対応する前記上下風向ベーンのベーン位置が異なり、前記横吹き位置での空気の吹出し方向が水平方向よりも上吹きとなるドラフト感防止モードを含む複数の吹出しモードを有する制御部と、
前記ドラフト感防止モードでの前記横吹き位置に対応する前記上下風向ベーンのベーン位置の調整操作を受け付けるコントローラと、
前記コントローラを介した調整操作によって調整された前記ドラフト感防止モードでの前記横吹き位置に対応する前記上下風向ベーンのベーン位置を含め、複数の前記吹出しモードの前記複数の段階の各々での前記上下風向ベーンのベーン位置を記憶する記憶部とを備え、
前記制御部は、複数の前記吹出しモードのいずれにおいても、前記複数の段階の各々での前記上下風向ベーンのベーン位置を、前記記憶部に記憶されている前記上下風向ベーンのベーン位置にする制御を行うことを特徴とする空気調和機。
【請求項２】
前記コントローラは、前記横吹き位置とは異なる段階に対応するベーン位置の調整操作を受け付け、
前記記憶部は、前記コントローラを介した調整操作によって調整された前記横吹き位置とは異なる段階に対応する前記上下風向ベーンのベーン位置を前記吹出しモードごとに記憶することを特徴とする請求項１に記載の空気調和機。
【請求項３】
前記コントローラを介した調整操作による前記横吹き位置又は該横吹き位置とは異なる段階に対応するベーン位置の調整範囲に上限値及び下限値を設けたことを特徴とする請求項１又は２に記載の空気調和機。
【発明の詳細な説明】
【技術分野】
【０００１】
本発明は、上下風向ベーンを備えた空気調和機に関する。
【背景技術】
【０００２】
空気調和機は、吹出口からの空気の吹出し方向を変更する上下風向ベーンを備え、リモートコントローラからの操作により風向の設定が可能である。空気調和機は、吹出口からの空気が直接体に当たることを防止するドラフト感防止モード、吹出口からの空気により天井面が汚れることを防止するためのスマッジング防止モードといった複数の吹出しモードを有しており、天井面に沿って空気を吹き出す横吹き時には、上下風向ベーンの位置は、設定された吹出しモードにより、標準設定時のベーン位置から変化する。【０００３】
空気調和機には、ドラフト感防止モード時及びスマッジング防止モード時の上下風向ベーンの位置を、モード設定により予め製品に設定されている角度に合わせて変更する方式、又は選択可能な複数段階の風向角度の中からドラフト感防止モード及びスマッジング防止モードの風向角度をユーザが選択した角度に合わせた位置に変更する方式が用いられている（特許文献１，２）。
【先行技術文献】
【特許文献】
【０００４】
【特許文献１】特開平８−１００９４２号公報
【特許文献２】特開２００４−９２９９６号公報
【発明の概要】
【発明が解決しようとする課題】
【０００５】
しかしながら、上記の空気調和機では、ドラフト感防止モード及びスマッジング防止モードで設定できる上下風向ベーンの位置は、予め製品に設定されている規定の吹出し角度に対応する位置である。したがって、従来の空気調和機は、ドラフト感防止モードでの横吹き時のベーン位置を、吹出し角度が規定角度以外の角度となる位置に設定することはできなかった。このため、空気調和機が実際に設置される環境及び天井高さによっては、必ずしもドラフト感を防止できないことがあった。【０００６】
本発明は、上記に鑑みてなされたものであって、ドラフト感防止モードでの横吹き時の上下風向ベーンのベーン位置を、製品に予め設定されている角度以外の角度となる位置へ設定可能な空気調和機を得ることを目的とする。
【課題を解決するための手段】
【０００７】
上述した課題を解決し、目的を達成するために、本発明は、空気の吹出し方向を上下方向に変化させる上下風向ベーンを備え、天井面に沿って空気を吹き出す横吹き位置を含む複数の段階で上下風向ベーンのベーン位置を変更可能な空気調和機であって、複数の段階の各段階に対応する上下風向ベーンのベーン位置が異なり、横吹き位置での空気の吹出し方向が水平方向よりも上吹きとなるドラフト感防止モードを含む複数の吹出しモードを有する制御部と、ドラフト感防止モードでの横吹き位置に対応する上下風向ベーンのベーン位置の調整操作を受け付けるコントローラと、コントローラを介した調整操作によって調整されたドラフト感防止モードでの横吹き位置に対応する上下風向ベーンのベーン位置を含め、複数の吹出しモードの複数の段階の各々での上下風向ベーンのベーン位置を記憶する記憶部とを備える。制御部は、複数の吹出しモードのいずれにおいても、複数の段階の各々での上下風向ベーンのベーン位置を、記憶部に記憶されている上下風向ベーンのベーン位置にする制御を行う。
【発明の効果】
【０００８】
本発明に係る空気調和機は、ドラフト感防止モードでの横吹き時の上下風向ベーンのベーン位置を、製品に予め設定されている角度以外の角度となる位置へ設定可能という効果を奏する。
【図面の簡単な説明】
【０００９】
【図１】本発明の実施の形態１に係る空気調和機の構成を示す図
【図２】実施の形態１に係る空気調和機の室内ユニットの断面模式図
【図３】実施の形態１に係る空気調和機の室内ユニット及びリモートコントローラの機能ブロック図
【図４】実施の形態１に係る空気調和機の上下風向ベーンの製品動作を示す概念図
【図５】実施の形態１に係る空気調和機の機能選択設定画面を示す図
【図６】実施の形態１に係る空気調和機の記憶部に記憶される吹出しモードごとのベーン位置のデータを示す図
【図７】実施の形態１に係る空気調和機の設定変更動作の流れを示すフローチャート
【図８】実施の形態１に係る空気調和機の横吹き位置Ｖ１の風向角度の調整時のリモートコントローラの画面遷移を示す図
【図９】実施の形態１に係る空気調和機の、横吹き位置Ｖ１の風向角度の調整時の上下風向ベーンの動きを示す図
【図１０】実施の形態１に係る空気調和機の室内制御基板のメモリデータ更新の概念図
【図１１】実施の形態３に係る空気調和機の設定変更動作の流れを示すフローチャート
【図１２】実施の形態３に係る空気調和機の第４の下吹き位置の角度調整時のリモートコントローラの画面遷移を示す図
【図１３】実施の形態３に係る空気調和機の室内制御基板のメモリデータ更新の概念図
【図１４】実施の形態１から実施の形態４に係る空気調和機の制御部の機能をハードウェアで実現した構成を示す図
【図１５】実施の形態１から実施の形態４に係る空気調和機の制御部の機能をソフトウェアで実現した構成を示す図
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態１．
図１は、本発明の実施の形態１に係る空気調和機の構成を示す図である。図２は、実施の形態１に係る空気調和機の室内ユニットの断面模式図である。図１に示すように、空気調和機は、少なくとも一つの室内ユニット１０と室外ユニット２０とリモートコントローラ３０とを備えている。リモートコントローラ３０は、通信ケーブル６０で室内ユニット１０の一つと接続されている。また、室内ユニット１０同士も通信ケーブル６０で接続されている。従って、複数の室内ユニット１０の各々は、通信ケーブル６０を通じてリモートコントローラ３０と通信可能となっている。なお、リモートコントローラ３０の代わりに、室内ユニット１０との間で無線通信を行うワイヤレスリモートコントローラを用いてもよい。ワイヤレスリモートコントローラを用いる場合には、ワイヤレスリモートコントローラと室内ユニット１０との間を接続する通信ケーブル６０は省略した構成となる。図２に示すように、室内ユニット１０は、ファン１２を回転させて気流を形成するファンモータ１１、室外ユニット２０との間の冷媒回路８０を流れる冷媒と室内空気との熱交換を行う熱交換器１３、吹出口から吹き出される気流の風向を上下方向に変化させる上下風向ベーン１４及び上下風向ベーン１４を駆動するパルスモータであるベーンモータ１５を備えている。実施の形態１に係る空気調和機は、天井面に沿って空気を吹き出す横吹き位置を含む複数段階で上下風向ベーン１４のベーン位置を変更可能である。実施の形態１に係る空気調和機は、室内ユニット１０が天井面に埋め込まれて設置される天井埋め込み型である。
【００１２】
室内ユニット１０には、各々に固有のアドレスが割り当てられている。
【００１３】
図３は、実施の形態１に係る空気調和機の室内ユニット及びリモートコントローラの機能ブロック図である。図３に示すように、室内制御基板１１０は、室内ユニット１０の各部を制御する制御部１２０、設定データ及び上下風向ベーン１４の位置データを記憶する記憶部１３０、ベーンモータ１５を駆動するベーンモータ駆動回路１４０及びリモートコントローラ３０と通信する送受信部１５０を備えている。リモートコントローラ３０は、リモートコントローラ３０の各部を制御する制御部３１０、ユーザの入力操作を受け付ける操作部３２０、室内ユニット１０と通信する送受信部３３０を備えている。室内制御基板１１０は、上下風向ベーン１４に関する機能切替の指示をリモートコントローラ３０から受信すると、記憶部１３０に設定データを記憶し、上下風向ベーン１４の制御の切り替えを行う機能を備えている。なお、リモートコントローラ３０に代えてワイヤレスリモートコントローラを用いる場合には、室内ユニット１０に赤外線受光部を設けるとともに、ワイヤレスリモートコントローラに赤外線発光部を設ければ良い。ただし、ワイヤレスリモートコントローラと室内ユニット１０との間の無線通信は、赤外線通信に限定されることはなく、電波による通信を適用してもよい。電波による通信の方式には、bluetooth（登録商標）を例示できるが、これに限定されない。リモートコントローラ３０又はワイヤレスリモートコントローラは、ドラフト感防止モードでの横吹き位置に対応する上下風向ベーンのベーン位置の調整操作を受け付けるコントローラをなす。
【００１４】
次に、室内ユニット１０の上下風向制御動作について説明する。図４は、実施の形態１に係る空気調和機の上下風向ベーンの製品動作を示す概念図である。図４に示すように、室内ユニット１０の上下風向ベーン１４は、横吹き位置Ｖ１、第１の下吹き位置Ｖ２、第２の下吹き位置Ｖ３、第３の下吹き位置Ｖ４及び第４の下吹き位置Ｖ５の５段階に位置を変更可能である。横吹き位置Ｖ１、第１の下吹き位置Ｖ２、第２の下吹き位置Ｖ３、第３の下吹き位置Ｖ４及び第４の下吹き位置Ｖ５に対応する各ベーン位置のデータは、吹出しモードごとに記憶部１３０に記憶されている。実施の形態１では、空気調和機は、標準モードと、吹出口からの空気が直接体に当たることを防止するための横吹き位置Ｖ１の風向角度をやや上吹きとするドラフト感防止モードと、吹出口からの空気により天井面の汚れを防ぐため横吹き位置Ｖ１の風向角度をやや下吹きとするスマッジング防止モードとの三つの吹出しモードを備えている。空気調和機の吹出しモードは、リモートコントローラ３０の操作により選択可能となっている。第１の下吹き位置Ｖ２、第２の下吹き位置Ｖ３、第３の下吹き位置Ｖ４及び第４の下吹き位置Ｖ５は、全吹出しモードで位置が共通となっている。
【００１５】
図５は、実施の形態１に係る空気調和機の機能選択設定画面を示す図である。空気調和機は、図５に示す機能選択設定画面を通じて、リモートコントローラ３０の操作により設定の切り替えが可能である。実施の形態１では、上下風向ベーン１４の機能設定には、機能設定Ｎｏ．１１という番号が割り当てられている。実施の形態１に係る空気調和機は、上下風向ベーン１４の機能設定について、出荷時設定である標準モードには機能設定値２が割り当てられており、標準モードよりもやや下吹きとするスマッジング防止モードには機能設定値１が割り当てられており、標準モードよりもやや上吹きとするドラフト感防止モードには機能設定値３が割り当てられている。空気調和機の吹出しモードは、リモートコントローラ３０の操作により機能設定値を変更することで切り替えることが可能である。室内ユニット１０のどれを設定対象とするかはアドレスによって指定される。図５では、アドレス「１」に対応する室内ユニット１０が設定対象となっている。なお、機能選択画面では、実行内容選択で「確認」を選択することにより、現在の設定を変更することなく設定内容を確認可能である。
【００１６】
図６は、実施の形態１に係る空気調和機の記憶部に記憶される吹出しモードごとのベーン位置のデータを示す図である。ベーン位置のデータは、ベーンモータ１５へ出力するパルスの数を示すパルスデータである。パルスデータは、機能設定値１のスマッジング防止モードでは、横吹き位置Ｖ１が標準モードでの横吹き位置Ｖ１よりもやや下吹き角度となり、機能設定値３のドラフト感防止モードでは、横吹き位置Ｖ１が標準モードでの横吹き位置Ｖ１よりもやや上吹き角度となるように設定されている。
【００１７】
次に、ドラフト感防止モードでの上下風向ベーンの横吹き位置Ｖ１の風向角度をユーザ設定により調整する際の動作について説明する。図７は、実施の形態１に係る空気調和機の設定変更動作の流れを示すフローチャートである。図８は、実施の形態１に係る空気調和機の横吹き位置Ｖ１の風向角度の調整時のリモートコントローラの画面遷移を示す図である。ステップＳ１０において、制御部３１０は、図８に示すユーザ設定画面１０Ａでのドラフト感防止横吹き位置風向角度設定画面の呼び出し操作を受け付ける。ステップＳ１１において、制御部３１０は、図８に示すドラフト感防止横吹き位置風向角度設定画面１１Ａでの設定対象の空気調和機のアドレスの入力操作を受け付ける。ドラフト感防止横吹き位置風向角度設定画面１１Ａでアドレスが入力された空気調和機は、横吹き位置Ｖ１の風向角度の設定対象となる。横吹き位置Ｖ１の風向角度の設定対象である空気調和機には、制御部３１０から横吹き位置Ｖ１の風向角度の設定対象であることが通知される。ステップＳ１２において、横吹き位置Ｖ１の風向角度の設定対象に指定された室内ユニット１０の制御部１２０は、上下風向ベーン１４を閉状態から、現在の設定での横吹き位置Ｖ１に移動させ、横吹き位置Ｖ１の風向角度の設定対象である空気調和機がどれであるかをユーザが認識できるようにする。
【００１８】
ステップＳ１３において、制御部３１０は、図８に示すドラフト感防止横吹き位置風向角度設定画面１２Ａで上下風向ベーン１４の横吹き位置Ｖ１の風向角度の調整操作を受け付けたか否かを判断する。図９は、実施の形態１に係る空気調和機の、横吹き位置Ｖ１の風向角度の調整時の上下風向ベーンの動きを示す図である。ユーザがアップボタンを押下した場合には、ステップＳ１３でアップ操作となり、ステップＳ１４において、制御部１２０は、ベーンモータ駆動回路１４０から上下風向ベーン１４を上に向けるようにベーンモータ１５にパルスを出力させ、図９に矢印Ａで示すように、横吹き位置Ｖ１は、現在の位置よりも上側の位置に変化する。ユーザがダウンボタンを押下した場合には、ステップＳ１３でダウン操作となり、ステップＳ１５において、制御部１２０は、ベーンモータ駆動回路１４０から上下風向ベーン１４を下に向けるようにベーンモータ１５にパルスを出力させ、図９に矢印Ｂで示すように、横吹き位置Ｖ１は、現在の位置よりも下側の位置に変化する。ステップＳ１６において、制御部３１０は、図８に示すドラフト感防止横吹き位置風向角度設定画面１３Ａで確定操作がなされたか否かを判断し、確定操作がなされていなければ、ステップＳ１３に戻って上下風向ベーン１４の横吹き位置Ｖ１の風向角度の調整操作を受け付ける。確定操作がなされたら、ステップＳ１７において、初期状態の横吹き位置Ｖ１からのパルスステップ数に基づいて、設定変更後の横吹き位置Ｖ１でのベーンモータ１５のパルスデータを算出し、室内制御基板１１０の記憶部１３０に記憶させ、横吹き位置Ｖ１のベーン位置のデータを更新する。ステップＳ１８において、制御部１２０は、室内ユニット１０の上下風向ベーン１４を閉状態にし、設定変更を終了する。
【００１９】
図１０は、実施の形態１に係る空気調和機の室内制御基板のメモリデータ更新の概念図である。ドラフト感防止モードでの上下風向ベーン１４の横吹き位置Ｖ１のベーン位置のデータがＳ５０からＳ４０に更新されている。この場合、ドラフト感防止モードが選択された状態でリモートコントローラ３０を通じて横吹き位置Ｖ１に設定された場合には、制御部１２０は、４０ステップ分だけベーンモータ１５を駆動して上下風向ベーン１４を回転させる。
【００２０】
以上のように、実施の形態１に係る空気調和機は、吹出口から空気が直接体に当たることを避けるドラフト感防止モード設定時の横吹き位置Ｖ１の風向角度を、製品規定の角度以外の角度に、リモートコントローラ３０を通じた操作により調整することが可能である。したがって、製品規定の角度ではドラフト感を防止する効果が不足する場合でも、風向角度を調整することにより、ドラフト感を防止する効果を高め、快適性を向上させることができる。
【００２１】
実施の形態２．
本発明の実施の形態２に係る空気調和機の構成は、実施の形態１と同様である。実施の形態２では、横吹き位置Ｖ１に上限値及び下限値が設定されている点で実施の形態１と相違する。図７のステップＳ１３でのアップ操作及びダウン操作において、上限値を超えて横吹き位置Ｖ１を変更しようとするアップ操作又は下限値未満に横吹き位置Ｖ１を変更しようとするダウン操作が行われた場合、制御部１２０は、ベーンモータ１５を駆動せず、横吹き位置Ｖ１を上限値又は下限値に維持する。
【００２２】
実施の形態２に係る空気調和機は、風向角度の調整幅に上限値及び下限値を設け、上限値及び下限値の間の範囲でのみ横吹き位置Ｖ１の調整を可能にしている。これにより、吹出口の開きが不足して、吹出口に結露が発生することを防止できる。
【００２３】
実施の形態３．
本発明の実施の形態３に係る空気調和機の構成は、実施の形態１と同様である。実施の形態３では、第４の下吹き位置Ｖ５をユーザ設定により調整可能にしている点で実施の形態１と相違している。図１１は、実施の形態３に係る空気調和機の設定変更動作の流れを示すフローチャートである。図１２は、実施の形態３に係る空気調和機の第４の下吹き位置の角度調整時のリモートコントローラの画面遷移を示す図である。ステップＳ２０において、制御部３１０は、図１２に示すユーザ設定画面２０Ａでの下吹き位置風向角度設定画面の呼び出し操作を受け付ける。ステップＳ２１において、制御部３１０は、図１２に示す下吹き位置風向角度設定画面２１Ａでの設定対象の空気調和機のアドレスの入力操作を受け付ける。下吹き位置風向角度設定画面２１Ａでアドレスが入力された空気調和機は、第４の下吹き位置Ｖ５の風向角度の設定対象となる。第４の下吹き位置Ｖ５の風向角度の設定対象である空気調和機には、制御部３１０から第４の下吹き位置Ｖ５の風向角度の設定対象であることが通知される。ステップＳ２２において、第４の下吹き位置Ｖ５の風向角度の設定対象に指定された室内ユニット１０の制御部１２０は、上下風向ベーン１４を閉状態から、現在の設定での第４の下吹き位置Ｖ５に移動させ、第４の下吹き位置Ｖ５の風向角度の設定対象である空気調和機がどれであるかをユーザが認識できるようにする。
【００２４】
ステップＳ２３において、制御部３１０は、図１２に示す下吹き位置風向角度設定画面１３Ａで上下風向ベーン１４の第４の下吹き位置Ｖ５の風向角度の調整操作を受け付けたか否かを判断する。ユーザがアップボタンを押下した場合には、ステップＳ２３でアップ操作となり、ステップＳ２４において、ベーンモータ駆動回路１４０から上下風向ベーン１４を上に向けるようにベーンモータ１５にパルスが出力され、第４の下吹き位置Ｖ５は、現在の位置よりも上側の位置に変化する。ユーザがダウンボタンを押下した場合には、ステップＳ２３でダウン操作となり、ステップＳ２５において、ベーンモータ駆動回路１４０から上下風向ベーン１４を下に向けるようにベーンモータ１５にパルスが出力され、第４の下吹き位置Ｖ５は、現在の位置よりも下側の位置に変化する。ステップＳ２６において、制御部３１０は、図１２に示す下吹き位置風向角度設定画面２２Ａで確定操作がなされたか否かを判断し、確定操作がなされていなければ、ステップＳ２３に戻って上下風向ベーン１４の第４の下吹き位置Ｖ５の風向角度の調整操作を受け付ける。確定操作がなされたら、ステップＳ２７において、初期状態の第４の下吹き位置Ｖ５からのパルスステップ数に基づいて、設定変更後の第４の下吹き位置Ｖ５でのベーンモータ１５のパルスデータを算出し、室内制御基板１１０の記憶部１３０に記憶させ、第４の下吹き位置Ｖ５のベーン位置のデータを更新する。ステップＳ２８において、制御部１２０は、室内ユニット１０の上下風向ベーン１４を閉状態にし、設定変更を終了する。
【００２５】
図１３は、実施の形態３に係る空気調和機の室内制御基板のメモリデータ更新の概念図である。上下風向ベーン１４の第４の下吹き位置Ｖ５のデータがＳ１０００からＳ１２００に更新されている。この場合、リモートコントローラ３０を通じて第４の下吹き位置Ｖ５に設定された場合には、制御部１２０は、１２００ステップ分だけベーンモータ１５を駆動して上下風向ベーン１４を回転させる。
【００２６】
以上のように、実施の形態３に係る空気調和機は、下吹き風向角度を、製品規定の角度以外の角度に、リモートコントローラ３０を通じた操作により調整することが可能である。したがって、製品規定の角度では風が到達しない領域が広くなってしまう場合でも、風向角度を調整することにより、風が到達する範囲を広げ、快適性を向上させることができる。
【００２７】
実施の形態４．
本発明の実施の形態４に係る空気調和機の構成は、実施の形態３と同様である。実施の形態４では、第４の下吹き位置Ｖ５に上限値及び下限値が設定されている点で実施の形態３と相違する。図１１のステップＳ２３でのアップ操作及びダウン操作において、上限値を超えて第４の下吹き位置Ｖ５を変更しようとするアップ操作又は下限値未満に第４の下吹き位置Ｖ５を変更しようとするダウン操作が行われた場合、制御部１２０は、ベーンモータ１５を駆動せず、第４の下吹き位置Ｖ５を上限値又は下限値に維持する。
【００２８】
実施の形態４に係る空気調和機は、第４の下吹き位置Ｖ５の風向角度の調整幅に上限値及び下限値を設け、上限値及び下限値の間の範囲でのみ第４の下吹き位置Ｖ５の調整を可能にしている。これにより、吹出口を開きすぎでショートサイクルが発生することを防止できる。
【００２９】
上記の実施の形態１から実施の形態４において、制御部１２０及び制御部３１０の機能は、処理回路により実現される。すなわち、制御部１２０は、上下風向ベーン１４を閉状態から、現在の設定での横吹き位置Ｖ１に移動させ、横吹き位置Ｖ１の風向角度の設定対象である空気調和機がどれであるかをユーザが認識できるようにする処理と、ベーンモータ駆動回路１４０から上下風向ベーン１４を上に向けるようにベーンモータ１５にパルスを出力させる処理と、ベーンモータ駆動回路１４０から上下風向ベーン１４を下に向けるようにベーンモータ１５にパルスを出力させる処理と、室内ユニット１０の上下風向ベーン１４を閉状態にし、設定変更を終了する処理とを行う。制御部３１０は、ドラフト感防止横吹き位置風向角度設定画面の呼び出し操作を受け付ける処理と、設定対象の空気調和機のアドレスの入力操作を受け付ける処理と、上下風向ベーン１４の横吹き位置Ｖ１の風向角度の調整操作を受け付ける処理と、確定操作がなされたか判断する処理と、初期状態の横吹き位置Ｖ１からのパルスステップ数に基づいて、設定変更後の横吹き位置Ｖ１でのベーンモータ１５のパルスデータを算出し、室内制御基板１１０の記憶部１３０に記憶させ、横吹き位置Ｖ１のベーン位置のデータを更新する処理とを行う。処理回路は、専用のハードウェアであっても、記憶装置に格納されるプログラムを実行する演算装置であってもよい。
【００３０】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図１４は、実施の形態１から実施の形態４に係る空気調和機の制御部の機能をハードウェアで実現した構成を示す図である。制御部１２０を構成する処理回路１９には、上下風向ベーン１４を閉状態から、現在の設定での横吹き位置Ｖ１に移動させ、横吹き位置Ｖ１の風向角度の設定対象である空気調和機がどれであるかをユーザが認識できるようにする処理と、ベーンモータ駆動回路１４０から上下風向ベーン１４を上に向けるようにベーンモータ１５にパルスを出力させる処理と、ベーンモータ駆動回路１４０から上下風向ベーン１４を下に向けるようにベーンモータ１５にパルスを出力させる処理と、室内ユニット１０の上下風向ベーン１４を閉状態にし、設定変更を終了する処理とを実現する論理回路１９ａが組み込まれている。
【００３１】
制御部３１０を構成する処理回路１９には、ドラフト感防止横吹き位置風向角度設定画面の呼び出し操作を受け付ける処理と、設定対象の空気調和機のアドレスの入力操作を受け付ける処理と、上下風向ベーン１４の横吹き位置Ｖ１の風向角度の調整操作を受け付ける処理と、確定操作がなされたか判断する処理と、初期状態の横吹き位置Ｖ１からのパルスステップ数に基づいて、設定変更後の横吹き位置Ｖ１でのベーンモータ１５のパルスデータを算出し、室内制御基板１１０の記憶部１３０に記憶させ、横吹き位置Ｖ１のベーン位置のデータを更新する処理とを実現する論理回路１９ａが組み込まれている。なお、上記の各処理を別々の処理回路で実現してもよい。
【００３２】
制御部１２０を構成する処理回路１９が演算装置の場合、上下風向ベーン１４を閉状態から、現在の設定での横吹き位置Ｖ１に移動させ、横吹き位置Ｖ１の風向角度の設定対象である空気調和機がどれであるかをユーザが認識できるようにする処理と、ベーンモータ駆動回路１４０から上下風向ベーン１４を上に向けるようにベーンモータ１５にパルスを出力させる処理と、ベーンモータ駆動回路１４０から上下風向ベーン１４を下に向けるようにベーンモータ１５にパルスを出力させる処理と、室内ユニット１０の上下風向ベーン１４を閉状態にし、設定変更を終了する処理とを実現する論理回路１９ａが組み込まれている。
【００３３】
制御部３１０を構成する処理回路１９が演算装置の場合、ドラフト感防止横吹き位置風向角度設定画面の呼び出し操作を受け付ける処理と、設定対象の空気調和機のアドレスの入力操作を受け付ける処理と、上下風向ベーン１４の横吹き位置Ｖ１の風向角度の調整操作を受け付ける処理と、確定操作がなされたか判断する処理と、初期状態の横吹き位置Ｖ１からのパルスステップ数に基づいて、設定変更後の横吹き位置Ｖ１でのベーンモータ１５のパルスデータを算出し、室内制御基板１１０の記憶部１３０に記憶させ、横吹き位置Ｖ１のベーン位置のデータを更新する処理とを実現する論理回路１９ａが組み込まれている。論理回路１９ａは、ソフトウェア、ファームウェア、又はソフトウェアとファームウェアとの組み合わせにより実現される。
【００３４】
図１５は、実施の形態１から実施の形態４に係る空気調和機の制御部の機能をソフトウェアで実現した構成を示す図である。処理回路１９は、プログラム１９ｂを実行する演算装置１９１と、演算装置１９１がワークエリアに用いるランダムアクセスメモリ１９２と、プログラム１９ｂを記憶する記憶装置１９３とを有する。制御部１２０を構成する処理回路１９は、記憶装置１９３に記憶されているプログラム１９ｂを演算装置１９１がランダムアクセスメモリ１９２上に展開し、実行することにより、上下風向ベーン１４を閉状態から、現在の設定での横吹き位置Ｖ１に移動させ、横吹き位置Ｖ１の風向角度の設定対象である空気調和機がどれであるかをユーザが認識できるようにする処理と、ベーンモータ駆動回路１４０から上下風向ベーン１４を上に向けるようにベーンモータ１５にパルスを出力させる処理と、ベーンモータ駆動回路１４０から上下風向ベーン１４を下に向けるようにベーンモータ１５にパルスを出力させる処理と、室内ユニット１０の上下風向ベーン１４を閉状態にし、設定変更を終了する処理とを実現する。制御部３１０を構成する処理回路１９には、記憶装置１９３に記憶されているプログラム１９ｂを演算装置１９１がランダムアクセスメモリ１９２上に展開し、実行することにより、ドラフト感防止横吹き位置風向角度設定画面の呼び出し操作を受け付ける処理と、設定対象の空気調和機のアドレスの入力操作を受け付ける処理と、上下風向ベーン１４の横吹き位置Ｖ１の風向角度の調整操作を受け付ける処理と、確定操作がなされたか判断する処理と、初期状態の横吹き位置Ｖ１からのパルスステップ数に基づいて、設定変更後の横吹き位置Ｖ１でのベーンモータ１５のパルスデータを算出し、室内制御基板１１０の記憶部１３０に記憶させ、横吹き位置Ｖ１のベーン位置のデータを更新する処理とを実現する。
【００３５】
処理回路１９は、記憶装置１９３に記憶されたプログラム１９ｂを読み出して実行することにより、制御部１２０又は制御部３１０の機能を実現する。また、プログラム１９ｂは、上記の手順及び方法をコンピュータに実行させるものであるともいえる。
【００３６】
なお、制御部１２０及び制御部３１０の機能は、一部を専用のハードウェアで実現し、一部をソフトウェア又はファームウェアで実現するようにしてもよい。
【００３７】
このように、処理回路１９は、ハードウェア、ソフトウェア、ファームウェア、又はこれらの組み合わせによって、上述の各機能を実現することができる。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１０  室内ユニット、１１  ファンモータ、１２  ファン、１３  熱交換器、１４  上下風向ベーン、１５  ベーンモータ、１９  処理回路、１９ａ  論理回路、１９ｂ  プログラム、２０  室外ユニット、３０  リモートコントローラ、６０  通信ケーブル、８０  冷媒回路、１１０  室内制御基板、１２０，３１０  制御部、１３０  記憶部、１４０  ベーンモータ駆動回路、１５０，３３０  送受信部、１９１  演算装置、１９２  ランダムアクセスメモリ、１９３  記憶装置、３２０  操作部。
【図１】
2017208404.tif 000003
【図２】
2017208404.tif 000004
【図３】
2017208404.tif 000005
【図４】
2017208404.tif 000006
【図５】
2017208404.tif 000007
【図６】
2017208404.tif 000008
【図７】
2017208404.tif 000009
【図８】
2017208404.tif 000010
【図９】
2017208404.tif 000011
【図１０】
2017208404.tif 000012
【図１１】
2017208404.tif 000013
【図１２】
2017208404.tif 000014
【図１３】
2017208404.tif 000015
【図１４】
2017208404.tif 000016
【図１５】
2017208404.tif 000017
【国際調査報告】
2017208404.tif 000018
2017208404.tif 000019